(57)【要約】【課題】本発明は、外界輝度を検出して被写体の撮影を行うカメラに関し、正確な紫外線の強さを表示する機能を有するカメラを提供することを目的とする。【解決手段】計測された日時と、検出された外界輝度と、所定の判定基準とに基づいて外界の紫外線強度を判定し、判定された紫外線強度を表示する。【選択図】　　　　図７
2004038063.tif 000002
【特許請求の範囲】
【請求項１】
被写体の撮影を行うカメラにおいて、
日時を計測する日時計測部と、
外界輝度を検出する外界輝度検出部と
外界の紫外線強度を、前記日時計測部によって計測された日時と、前記外界輝度検出部によって検出された外界輝度と、所定の判定基準とに基づいて判定する紫外線強度判定部と、
前記紫外線強度判定部によって判定された紫外線強度を表示する紫外線強度表示部とを備えたことを特徴とするカメラ。
【請求項２】
このカメラは、固定撮像素子上に被写体像を結像させて該被写体を表す画像データを得るデジタルカメラであって、
前記外界輝度検出部は、前記固定撮像素子によって外界輝度を検出するものであることを特徴とする請求項１記載のカメラ。
【請求項３】
このカメラは、固定撮像素子上に被写体像を結像させて該被写体を表す画像データを得るデジタルカメラであって、
前記外界輝度検出部は、前記固定撮像素子によって外界輝度および色温度を検出するものであり、
前記紫外線強度判定部は、外界の紫外線強度を、前記日時計測部によって計測された日時と、前記外界輝度検出部によって検出された外界輝度および色温度と、所定の判定基準とに基づいて判定するものであることを特徴とする請求項１記載のカメラ。
【請求項４】
閃光を発光する閃光発光部と、
前記閃光発光部によって発光された閃光の、被写体からの反射光量を測定し、測定した反射光量に応じて該閃光発光部の発光を停止させる調光部とを備え、
前記外界輝度検出部は、前記調光部における光量測定機能を用いて外界輝度を検出するものであることを特徴とする請求項１記載のカメラ。
【請求項５】
検出器で外界輝度を検出し、検出した外界輝度に応じて露光を調節する露光調節部を備え、
前記外界輝度検出部は、前記露光調節部における前記検出器を兼ねたものであることを特徴とする請求項１記載のカメラ。
【発明の詳細な説明】
【０００１】
【発明の属する技術分野】
本発明は、外界輝度を検出して被写体の撮影を行うカメラに関する。
【０００２】
【従来の技術】
近年、地球を取り囲むオゾン層が、スプレーなどに使用されたフロンガスによって破壊されることが問題となっている。このオゾン層は、紫外線を吸収することによって過度の紫外線が地表に到達することを防止する役割を果たすものであるが、オゾン層が破壊されてしまうと多量の紫外線が地表に到達し、人体に悪影響を及ぼす結果となる。
【０００３】
このようにして地表に到達した紫外線は、日焼けの原因となるのみならず、しわやたるみなどといった肌の老化の原因や、延いては皮膚ガンの原因にもなることが知られている。
【０００４】
ところで、一般に、写真の撮影は屋内よりも屋外で行われることが多く、屋外で写真を撮影していると写真撮影に夢中になり、紫外線による日焼けに注意を払うことを忘れてしまう傾向がある。
【０００５】
ここで、特開平１１−２６４７６０号公報には、ユーザ自身が現在の時刻と位置とを入力することによって太陽の南中時刻が算出され、この南中時刻に基づいて得られる日焼け強度を表示する日焼け強度表示装置が提案されている。
【０００６】
上述した、屋外での写真撮影において、このような日焼け強度表示装置を携帯していれば、撮影者は紫外線の強さを知ることができ、紫外線による日焼けに対して注意を払うことが可能となる。
【０００７】
【発明が解決しようとする課題】
しかし、紫外線の強さは、現在の時刻や位置のみならず、その時点での空模様にも大きく影響を受けることが知られている。例えば、同一の時刻、同一の位置であっても、曇りの日の紫外線の強さは、快晴の日の紫外線の強さの約７０％程度であり、雨の日の紫外線の強さは、快晴の日の紫外線の強さの約３０％程度である。
【０００８】
従って、上述した、特開平１１−２６４７６０号公報に提案された日焼け強度表示装置は、快晴の日であれば紫外線の強さが正確に表示されるものの、快晴以外の空模様では、その空模様に応じた紫外線の強さが必ずしも正確に表示されるとは限らないものである。
【０００９】
また、屋外での写真撮影時に、上述した日焼け強度表示装置などといった余分な装置を携帯することは、撮影者にとって煩わしく、使い勝手が良いとは言い難い。
【００１０】
本発明は、上記事情に鑑み、正確な紫外線の強さを表示する機能を有するカメラを提供することを目的とする。
【００１１】
【課題を解決するための手段】
上記目的を達成する本発明のカメラは、
被写体の撮影を行うカメラにおいて、
日時を計測する日時計測部と、
外界輝度を検出する外界輝度検出部と
外界の紫外線強度を、上記日時計測部によって計測された日時と、上記外界輝度検出部によって検出された外界輝度と、所定の判定基準とに基づいて判定する紫外線強度判定部と、
上記紫外線強度判定部によって判定された紫外線強度を表示する紫外線強度表示部とを備えたことを特徴とする。
【００１２】
ここで、「外界輝度」とは、外界の明るさを表す明るさの量（Ｌｉｇｈｔ　Ｖａｌｕｅ：以下、これをＬＶ値と称する）であって、一般に、晴天時の屋外のＬＶ値はＬＶ１２〜ＬＶ１５、曇天時の屋外のＬＶ値はＬＶ９〜ＬＶ１１、雨天時の屋外のＬＶ値はＬＶ８以下である。本発明のカメラは、外界輝度を検出するものであるため、外界輝度を検出することによって得られるＬＶ値に基づいて空模様を判定することができ、空模様に応じて変化する紫外線の強さを所定の判定基準に基づいて正確に判定することができる。
【００１３】
また、紫外線の強さは、上述した時刻や空模様によってのみならず、季節によっても変動する。例えば日本における紫外線の強さは、５月から８月にかけてが最も強く、冬の間は比較的弱いことが知られている。本発明のカメラは、日時を計測するものであるため、時刻や季節に応じて変化する紫外線の強さを所定の判定基準に基づいて正確に判定することもできる。
【００１４】
従って、本発明によれば、時刻や季節や空模様に応じて変化する紫外線の強さを正確に判定して表示することのできるカメラが実現される。
【００１５】
ここで、上記本発明のカメラは、固定撮像素子上に被写体像を結像させてその被写体を表す画像データを得るデジタルカメラであって、
上記外界輝度検出部は、上記固定撮像素子によって外界輝度を検出するものであることが好ましい。
【００１６】
このような固定撮像素子によって外界輝度を検出するデジタルカメラによれば、従来のデジタルカメラが有する部品を流用することによって、時刻や季節や空模様に応じて変化する紫外線の強さを正確に判定して表示することができる。
【００１７】
また、上記本発明のカメラは、固定撮像素子上に被写体像を結像させてその被写体を表す画像データを得るデジタルカメラであって、
上記外界輝度検出部は、上記固定撮像素子によって外界輝度および色温度を検出するものであり、
上記紫外線強度判定部は、外界の紫外線強度を、上記日時計測部によって計測された日時と、上記外界輝度検出部によって検出された外界輝度および色温度と、所定の判定基準とに基づいて判定するものであることがさらに好ましい。
【００１８】
ここで、「色温度」とは、光源の色の性質を、黒体輻射の絶対温度で表したものであって、例えば、晴天時の屋外の色温度は約５５００Ｋ（ケルビン）、曇天時の屋外の色温度は約７０００Ｋ、屋内の電球照明の色温度は約３０００Ｋである。従って、色温度に基づいて光源の種類を特定することができ、例えば光源が蛍光灯や電球や白熱灯等であると特定された場合には、紫外線の強さが弱い屋内であると判定することができる。
【００１９】
従って、上述した固定撮像素子によって外界輝度および色温度を検出するデジタルカメラによれば、外界輝度を検出することによって得られるＬＶ値に基づいて空模様を判定し、さらに、色温度を検出することによって特定される光源に基づいて屋内と屋外との判定も行うことができる。
【００２０】
従って、このようなデジタルカメラによれば、従来のデジタルカメラが有する部品を流用することによって、時刻や季節や空模様に応じて変化する紫外線の強さを、より一層正確に判定して表示することができる。
【００２１】
また、上記本発明のカメラは、閃光を発光する閃光発光部と、
上記閃光発光部によって発光された閃光の、被写体からの反射光量を測定し、測定した反射光量に応じてその閃光発光部の発光を停止させる調光部とを備え、
上記外界輝度検出部は、上記調光部における光量測定機能を用いて外界輝度を検出するものであることも好ましい形態である。
【００２２】
一般に、カメラには、夜間での撮影時や逆光での撮影時に使用される、閃光を発光する閃光発光部が備えられていることが多い。また、このような閃光発光部を備えたカメラの中には、閃光発光部によって発光された閃光の光量を制御する調光部を備えたカメラも市販されている。従って、このような閃光発光部と調光部とを備えたカメラによっても、調光部における光量測定機能を利用して外界輝度を検出することによって、従来のカメラが有する部品を流用することによって、時刻や季節や空模様に応じて変化する紫外線の強さを正確に判定して表示することができる。
【００２３】
さらに、上記本発明のカメラは、検出器で外界輝度を検出し、検出した外界輝度に応じて露光を調節する露光調節部を備え、
上記外界輝度検出部は、上記露光調節部における上記検出器を兼ねたものであることも好ましい形態である。
【００２４】
一般に、カメラには、露光を調節する露光調節部が備えられていることが多い。従って、このような露光調節部を備えたカメラによっても、露光調節部における検出器によって外界輝度を検出することによって、従来のカメラが有する部品を流用することによって、時刻や季節や空模様に応じて変化する紫外線の強さを正確に判定して表示することができる。
【００２５】
【発明の実施の形態】
以下、本発明の実施形態について説明する。
【００２６】
図１は、本発明の第１実施形態のカメラを前面斜め上から見た外観斜視図である。
【００２７】
図１に示すカメラ１０は、Ｃｈａｒｇｅ　Ｃｏｕｐｌｅｄ　Ｄｅｖｉｃｅ（ＣＣＤ）固定撮像素子上に被写体の像を結像させて、その被写体を表す画像データを信号として取り込むデジタルカメラである。
【００２８】
このカメラ１０の前面には、撮影レンズ１１が備えられている。この撮影レンズ１１は、入射した被写体光を、内部に配置されたＣＣＤ固定撮像素子（ここでは図示せず）の撮影面上に結像させ、そのＣＣＤ固定撮像素子で被写体を表す画像データが生成される。
【００２９】
また、このカメラ１０の前面には、撮影レンズ１１の左斜め上にフラッシュ調光窓１２、フラッシュ調光窓１２の左隣にフラッシュ発光窓１３、および撮影レンズ１１の右斜め上に光学式ファインダ対物窓１４ａが備えられている。
【００３０】
また、このカメラ１０の上面の右端には、シャッタレリーズボタン１５が備えられている。尚、背面上部に備えられ、上面に一部が突出して配置された撮影モードダイヤル２２については、図２を参照して説明する。
【００３１】
さらに、このカメラ１０の左側面の下方には、上から順に、写真撮影によって得られた画像データをパーソナルコンピュータなどに送信する際に使用されるＵｎｉｖｅｒｓａｌ　Ｓｅｒｉａｌ　Ｂｕｓ（ＵＳＢ）ケーブルが接続されるＵＳＢ端子１６、およびカメラ１０に外部電源を供給する際に使用される電源ケーブルが接続される電源入力端子１７が備えられている。
【００３２】
図２は、図１に示すカメラを背面斜め上から見た外観斜視図である。
【００３３】
このカメラ１０の背面には、光学式ファインダ接眼窓１４ｂ、画像や日時を表示する液晶ディスプレイ（Ｌｉｑｕｉｄ　Ｃｒｙｓｔａｌ　Ｄｉｓｐｌａｙ：ＬＣＤ）パネル１８、ＬＣＤパネル１８による画像表示をオン／オフするためのＬＣＤパネル起動ボタン１９、バリエーションの選択およびズームを行なう際に操作される十字キー２０、例えば日付や日時の設定などといったメニューをＬＣＤパネル１８上に表示させたり、そのメニューを確定する際に使用されるメニュー／ＯＫスイッチ２１、撮影モードダイヤル２２、写真撮影を行う“撮影記録”機能と、写真撮影されて記録された画像データを再生する“画像データ再生”機能とのうちのいずれかの機能を選択する際に使用される機能選択レバー２３、および、機能選択レバー２３の軸上に設けられたメインスイッチ２４が備えられている。
【００３４】
このカメラ１０では、機能選択レバー２３を上側にもっていくことによって“撮影記録”機能が選択され、機能選択レバー２３を下側にもっていくことによって“画像データ再生”機能が選択される。また、この機能選択レバー２３によって“撮影記録”機能が選択されている場合には、撮影モードダイヤル２２を回転させることによって、“人物撮影”モード、“風景撮影”モード、“スポーツ”モード、“セルフタイマ”モード、および“自己撮影”モードのうちのいずれかのモードを選択することができる。
【００３５】
図３は、図１，図２に示すカメラの機能を示す内部ブロック図である。
【００３６】
図１，図２に示すカメラ１０の内部には、図３に示すように、上述した撮影レンズ１１を経由した被写体の像が結像されるＣＣＤ固定撮像素子１１１、フラッシュ発光窓１３から発光され被写体で反射して戻ってきた反射光を受光する調光センサ１１２、例えば、ＣＣＤ固定撮像素子１１１に結像された被写体の像のホワイトバランスを自動調整したり、調光センサ１１２が受光した反射光の光量に応じてフラッシュ発光窓１３からの発光を停止させるカメラ制御部１１３が備えられいる。さらに、このカメラ１０の内部には、ＬＣＤパネル１８による画像等の表示を制御する表示制御部１１５、メモリ３００が装填され、その装填されたメモリ３００に画像データを記録する記録制御部１１６、ＵＳＢケーブル４００がＵＳＢ端子１６（図１参照）に接続され、パーソナルコンピュータなどといった外部機器との画像データの送受信を担うＵＳＢインタフェース１１７、ＲＯＭ／ＲＡＭ１１８が備えられいる。
【００３７】
ここで、ＣＣＤ固定撮像素子１１１およびカメラ制御部１１３は、外界輝度や色温度を検出する機能も担っており、本発明にいう外界輝度検出部の機能の一例を示すものである。また、ＲＯＭ／ＲＡＭ１１８には、後述する、空模様と時刻と紫外線強度との関係を対応付けた判定基準が記憶されている。
【００３８】
さらに、このカメラ１０には、このカメラ１０全体の制御を行う中央制御部１１９と、図２に示すＬＣＤパネル起動ボタン１９、十字キー２０、メニュー／ＯＫスイッチ２１、撮影モードダイヤル２２、機能選択レバー２３、およびメインスイッチ２４からなる操作スイッチ群１１４と、図１，図２に示すシャッタレリーズボタン１５とが備えられており、操作スイッチ群１１４を操作して所望の撮影準備状態に設定し、シャッタレリーズボタン１５を押下することによって写真撮影が行われる。
【００３９】
ここで、この中央制御部１１９は、日時を計測する機能も担っており、本発明にいう日時計測部の機能の一例を示すものである。
【００４０】
図４は、図２に示すＬＣＤパネルに表示される日付と時刻の表示例を示す図である。
【００４１】
ここでは、本発明にいう日時計測部の機能を担う中央制御部１１９（図３参照）によって日付と時刻が計測され、計測された日付“２００２年６月１５日”と時刻“ＰＭ１２：３１”が、図３に示す表示制御部１１５によってＬＣＤパネル１８に表示された例が示されている。
【００４２】
さらに、図３に示す中央制御部１１９は、計測した日時と、ＣＣＤ固定撮像素子１１１およびカメラ制御部１１３によって検出された外界輝度および色温度と、ＲＯＭ／ＲＡＭ１１８に記憶された判定基準とに基づいて、外界の紫外線強度を判定する機能も担っており、本発明にいう紫外線強度判定部の機能の一例を示すものである。尚、外界の紫外線強度を判定する過程の詳細については後述する。
【００４３】
このようにして判定された外界の紫外線強度は、本発明にいう紫外線強度表示部の機能の一例を示すＬＣＤパネル１８上に表示される。
【００４４】
図５は、図３に示すＲＯＭ／ＲＡＭに記憶された、空模様と時刻と紫外線強度との関係を対応付けた判定基準テーブルの一例を示す図である。
【００４５】
図５には、空模様５１と時刻５２と紫外線強度５３との関係が対応付けられた５月の判定基準テーブル５０と、空模様６１と時刻６２と紫外線強度６３との関係が対応付けられた６月の判定基準テーブル６０が例示されている。
【００４６】
図６は、紫外線強度と、図２に示すＬＣＤパネルに表示される警告メッセージと警告マークとの関係を対応付けた警告表示テーブルの一例を示す図である。
【００４７】
ここでは、本発明にいう紫外線強度判定部の機能を担う中央制御部１１９（図３参照）によって判定された外界の紫外線強度を表す警告メッセージや警告マークの例が示されている。
【００４８】
この図６に示す警告表示テーブル７０は、紫外線強度７１と警告メッセージ７２と警告マーク７３との関係が対応付けられたものであり、警告メッセージ７２および警告マーク７３は、判定された紫外線強度に応じて、本発明にいう紫外線強度表示部の機能を担うＬＣＤパネル１８（図２参照）に表示される。
【００４９】
図７は、紫外線強度を判定する過程を示すフローチャートである。
【００５０】
図２に示すカメラ１０のメインスイッチ２４を押下することによってこのカメラ１０に電源が入れられると、まず、本発明にいう日時計測部によって計測された月が、６月であるか否かが判定される（ステップＳ１）。
【００５１】
ステップＳ１で６月ではないと判定された場合には、図示しない、この図７に示すフローチャートと同様な他の月のフローチャートに移って紫外線強度が判定される（ステップＳ２）。
【００５２】
以下、ここでは、ステップＳ１で６月と判定された場合における、紫外線強度を判定する過程を説明する。
【００５３】
ステップＳ１で６月と判定されると、次に、図３に示すカメラ１０のＣＣＤ固定撮像素子１１１およびカメラ制御部１１３によって外界輝度および色温度が検出される（ステップＳ３）。
【００５４】
次に、ステップＳ３で検出された色温度に基づいて、屋内か屋外かの判定が行われる。ここでは、その色温度に基づいて、光源が蛍光灯や電球や白熱灯等であると特定された場合には屋内であると判定される。このようにして屋内であると判定された場合には、紫外線強度に対する警告メッセージや警告マークは表示されない（ステップＳ５）。
【００５５】
ステップＳ３で検出された色温度に基づいて屋外であると判定された場合には、次に、ステップＳ３で検出された外界輝度に基づいて空模様が判定される。
【００５６】
ここで、「課題を解決するための手段」の欄で説明したように、外界輝度を検出することによって得られるＬＶ値は、一般に、晴天時の屋外のＬＶ値はＬＶ１２〜ＬＶ１５、曇天時の屋外のＬＶ値はＬＶ９〜ＬＶ１１、雨天時の屋外のＬＶ値はＬＶ８以下である。
【００５７】
従って、ここでは、まず、空模様が雨天であるか否かが、ＬＶ値がＬＶ８以下であるか否かという基準に基づいて判定される（ステップＳ６）。
【００５８】
ステップＳ６で、空模様が雨天（ＬＶ値がＬＶ８以下）であると判定された場合には、紫外線強度に対する警告メッセージや警告マークは表示されない（ステップＳ７）。
【００５９】
ステップＳ６で、空模様が雨天（ＬＶ値がＬＶ８以下）ではないと判定された場合には、次に、空模様が晴天であるか否かが、ここでは、ＬＶ値がＬＶ１２以上であるか否かという基準に基づいて判定される（ステップＳ８）。
【００６０】
ステップＳ６で、空模様が晴天（ＬＶ値がＬＶ１２以上）であると判定された場合には、判定された空模様と、本発明にいう日時計測部によって計測された時刻と、図５に示す６月の判定基準テーブル６０とに基づいて、紫外線強度が判定される。
【００６１】
ここで、ステップＳ６で空模様が晴天であると判定された場合における、紫外線強度を判定する過程（ステップＳ９〜ステップＳ１５）を説明する。
【００６２】
計測された時刻が“ＡＭ９：００〜ＡＭ１１：００”の時間帯に含まれるのであれば（ステップＳ９）、図５に示す６月の判定基準テーブル６０により、“紫外線が多い”と判定されて、図６に示す警告表示テーブル７０により、“紫外線に注意”という警告メッセージが、図２に示すカメラ１０のＬＣＤパネル１８に表示される（ステップＳ１０）。
【００６３】
また、計測された時刻が“ＡＭ１１：００〜ＰＭ１：００”の時間帯に含まれるのであれば（ステップＳ１１）、図５に示す６月の判定基準テーブル６０により、“紫外線がかなり多い”と判定されて、図６に示す警告表示テーブル７０により、“紫外線対策要”という警告メッセージが、図２に示すカメラ１０のＬＣＤパネル１８に表示される（ステップＳ１２）。
【００６４】
また、計測された時刻が“ＰＭ１：００〜ＰＭ３：００”の時間帯に含まれるのであれば（ステップＳ１３）、図５に示す６月の判定基準テーブル６０により、“紫外線が多い”と判定されて、図６に示す警告表示テーブル７０により、“紫外線に注意”という警告メッセージが、図２に示すカメラ１０のＬＣＤパネル１８に表示される（ステップＳ１４）。
【００６５】
また、計測された時刻が“ＡＭ９：００〜ＰＭ３：００”の時間帯に含まれない場合には、紫外線強度に対する警告メッセージや警告マークは表示されない（ステップＳ１５）。
【００６６】
ステップＳ６で、空模様が晴天（ＬＶ値がＬＶ１２以上）ではないと判定された場合には、空模様が曇天（ＬＶ値がＬＶ９〜ＬＶ１１）であると判定される（ステップＳ１６）。
【００６７】
次に、ステップＳ１６で判定された空模様と、本発明にいう日時計測部によって計測された時刻と、図５に示す６月の判定基準テーブル６０とに基づいて、紫外線強度が判定される。
【００６８】
ここで、ステップＳ６で空模様が晴天であると判定された場合における、紫外線強度を判定する過程（ステップＳ１７〜ステップＳ２３）を説明する。
【００６９】
計測された時刻が“ＡＭ９：００〜ＡＭ１１：００”の時間帯に含まれるのであれば（ステップＳ１７）、図５に示す６月の判定基準テーブル６０により、“紫外線が少ない”と判定されて、図６に示す警告表示テーブル７０により、“紫外線少ない”という警告メッセージが、図２に示すカメラ１０のＬＣＤパネル１８に表示される（ステップＳ１８）。
【００７０】
また、計測された時刻が“ＡＭ１１：００〜ＰＭ１：００”の時間帯に含まれるのであれば（ステップＳ１９）、図５に示す６月の判定基準テーブル６０により、“紫外線が多い”と判定されて、図６に示す警告表示テーブル７０により、“紫外線に注意”という警告メッセージが、図２に示すカメラ１０のＬＣＤパネル１８に表示される（ステップＳ２０）。
【００７１】
また、計測された時刻が“ＰＭ１：００〜ＰＭ３：００”の時間帯に含まれるのであれば（ステップＳ２１）、図５に示す６月の判定基準テーブル６０により、“紫外線が少ない”と判定されて、図６に示す警告表示テーブル７０により、“紫外線少ない”という警告メッセージが、図２に示すカメラ１０のＬＣＤパネル１８に表示される（ステップＳ２２）。
【００７２】
また、計測された時刻が“ＡＭ９：００〜ＰＭ３：００”の時間帯に含まれない場合には、紫外線強度に対する警告メッセージや警告マークは表示されない（ステップＳ２３）。
【００７３】
上述した第１実施形態のカメラによれば、固定撮像素子で外界輝度を検出することによって得られるＬＶ値に基づいて空模様を判定し、さらに、固定撮像素子で色温度を検出することによって特定される光源に基づいて屋内と屋外とを判定し、これらの判定結果と計測された日時と所定の判定基準に基づいて紫外線の強さを判定することができるので、従来のデジタルカメラが有する部品を流用することによって、時刻や季節や空模様に応じて変化する紫外線の強さを正確に判定して表示することが実現される。
【００７４】
尚、第１実施形態の説明では、本発明にいう外界輝度検出部の一例として、ＣＣＤ固定撮像素子１１１（図３参照）を用いて外界輝度を検出する例を示したが、本発明にいう外界輝度検出部は、調光センサ１１２（図３参照）における光量測定機能を用いて外界輝度を検出するものであってもよい。
【００７５】
次に、本発明の第２実施形態のカメラについて説明する。上述した第１実施形態の説明では、ＣＣＤ固定撮像素子上に被写体の像を結像させて、その被写体を表す画像データを信号として取り込むデジタルカメラに本発明を適用する例を示したが、これに対して以下の第２実施形態の説明では、写真フィルム上に写真撮影を行うカメラに本発明を適用する例を示す。尚、以下の第２実施形態のカメラについての説明において、上述した第１実施形態のカメラ１０と重複する説明は省略する。
【００７６】
図８は、本発明の第２実施形態のカメラを前面斜め上から見た外観斜視図である。
【００７７】
図８に示すカメラ８０は、図示しない写真フィルム上に写真撮影を行うカメラである。
【００７８】
このカメラ８０の前面中央部には、撮影レンズ８１ａを内部に備えたレンズ鏡胴８１が備えられている。また、このカメラ８０の前面上部には、フラッシュ発光窓８２、光学式ファインダ対物窓８３ａ、オートフォーカス（ＡＦ）用の発光素子が内蔵されたＡＦ投光窓８４ａ、このＡＦ投光窓８４ａから投光され被写体で反射して戻ってきた光を受光する受光素子が内蔵されたＡＦ受光窓８４ｂ、および内蔵された露出調整用のＡＥセンサに光を導く、被写界輝度測定用のＡＥ受光窓８５が配備されている。
【００７９】
また、このカメラ８０の上面の右端には、シャッタレリーズボタン８６と、回転式のセレクトダイヤル８７とが備えられている。このセレクトダイヤル８７を回転させ、セレクトダイヤル８７上に印刷された指標（△）を、カメラ８０の上面に印刷されたモードに合わせることにより、図１に示す電源ＯＦＦ状態のほか、写真撮影を行うプログラムモード（Ｐ）、日時設定モード（ＳＥＴ）に切り替えることができる。
【００８０】
図９は、図８に示すカメラを背面斜め上から見た外観斜視図である。
【００８１】
このカメラ８０の背面には、光学式ファインダ接眼窓８３ｂが配備されている。
【００８２】
さらに、このカメラ８０の背面には、日時等を表示するＬＣＤパネル８８と、日時を設定する際に使用されるアップボタン８９ａおよびダウンボタン８９ｂとが隣り合った位置に備えられている。
【００８３】
ここで、この図８，図９に示すカメラ８０に備えられた露出調整用のＡＥセンサは、本発明にいう検出器に相当するものであり、このカメラ８０では、このＡＥセンサが本発明にいう外界輝度検出部の機能を兼ねている。
【００８４】
また、このカメラ８０は、カメラ８０に備えられた露出調整用のＡＥセンサによって検出された外界輝度と、計測した日時と、図５に示した判定基準とに基づいて、外界の紫外線強度を判定する判定回路を備えている。
【００８５】
尚、外界の紫外線強度を判定する過程は、図７を参照して説明したフローチャートと同一である。重複説明を避けるため、ここでの、第２実施形態のカメラにおける外界の紫外線強度を判定する過程の説明は省略する。
【００８６】
外界の紫外線強度が判定されると、その紫外線強度は、上述した第１実施形態と同様に、図９に示すカメラ８０のＬＣＤパネル８８に表示される。
【００８７】
上述した第２実施形態のカメラのように、写真フィルム上に写真撮影を行うカメラには、一般に、露光を調節する露光調節部が備えられていることが多い。従って、このような露光調節部を備えたカメラによっても、露光調節部におけるＡＥセンサによって外界輝度を検出することによって、従来のカメラが有する部品を流用することによって、時刻や季節や空模様に応じて変化する紫外線の強さを正確に判定して表示することが実現される。
【００８８】
尚、本発明は、第１実施形態に示すカメラや第２実施形態に示すカメラに限られるものではなく、日時を計測する機能と、外界輝度を検出する機能とを有するカメラであればカメラの種類を問わず適用することができる。
【００８９】
また、本発明にいう紫外線強度表示部の一例として、警告メッセージや警告マークをＬＣＤ表示部に表示する例を示したが、本発明にいう紫外線強度表示部は、警告メッセージや警告マークをファインダー内に表示するものであってもよい。
【００９０】
【発明の効果】
以上説明したように、本発明によれば、時刻や季節や空模様に応じて変化する紫外線の強さを正確に判定して表示する機能を有するカメラが提供される。
【図面の簡単な説明】
【図１】本発明の第１実施形態のカメラを前面斜め上から見た外観斜視図である。
【図２】図１に示すカメラを背面斜め上から見た外観斜視図である。
【図３】図１，図２に示すカメラの機能を示す内部ブロック図である。
【図４】図２に示すＬＣＤパネルに表示される日付と時刻の表示例を示す図である。
【図５】図３に示すＲＯＭ／ＲＡＭに記憶された、空模様と時刻と紫外線強度との関係を対応付けた判定基準テーブルの一例を示す図である。
【図６】紫外線強度と、図２に示すＬＣＤパネルに表示される警告メッセージと警告マークとの関係を対応付けた警告表示テーブルの一例を示す図である。
【図７】紫外線強度を判定する過程を示すフローチャートである。
【図８】本発明の第２実施形態のカメラを前面斜め上から見た外観斜視図である。
【図９】図８に示すカメラを背面斜め上から見た外観斜視図である。
【符号の説明】
１０，８０　　カメラ
１１，８１ａ　　撮影レンズ
１２　　フラッシュ調光窓
１３，８２　　フラッシュ発光窓
１４ａ，８３ａ　　光学式ファインダ対物窓
１４ｂ，８３ｂ　　光学式ファインダ接眼窓
１５，８６　　シャッタレリーズボタン
１６　　ＵＳＢ端子
１７　　電源入力端子
１８，８８　　ＬＣＤパネル
１９　　ＬＣＤパネル起動ボタン
２０　　十字キー
２１　　メニュー／ＯＫスイッチ
２２　　撮影モードダイヤル
２３　　機能選択レバー
２４　　メインスイッチ
１１１　　ＣＣＤ固定撮像素子
１１２　　調光センサ
１１３　　カメラ制御部
１１４　　操作スイッチ群
１１５　　表示制御部
１１６　　記録制御部
１１７　　ＵＳＢインタフェース
１１８　　ＲＯＭ／ＲＡＭ
１１９　　中央制御部
３００　　メモリ
４００　　ＵＳＢケーブル
５０，６０　　判定基準テーブル
５１，６１　　空模様
５２，６２　　時刻
５３，６３，７１　　紫外線強度
７０　　警告表示テーブル
７２　　警告メッセージ
７３　　警告マーク
８１　　レンズ鏡胴
８４ａ　　ＡＦ投光窓
８４ｂ　　ＡＦ受光窓
８５　　ＡＥ受光窓
８７　　セレクトダイヤル
８９ａ　　アップボタン
８９ｂ　　ダウンボタン
【図１】
2004038063.tif 000003
【図２】
2004038063.tif 000004
【図３】
2004038063.tif 000005
【図４】
2004038063.tif 000006
【図５】
2004038063.tif 000007
【図６】
2004038063.tif 000008
【図７】
2004038063.tif 000009
【図８】
2004038063.tif 000010
【図９】
2004038063.tif 000011